(57)【要約】      （修正有）【課題】スノーボードの制御性を向上させため、可撓性の滑走面を備えたスノーボードの提供する。【解決手段】１つのコア１４と、可撓性を有する１つの滑走面１６と、コア１４と滑走面１６との間に配置されて気体あるいは液体の媒質によって充填され得る少なくとも１つの中空チャンバ８、９とを備える、１つのスノーボード。【選択図】図１
2005161030.tif 000002
【特許請求の範囲】
【請求項１】
１つのコア（１４）と、
可撓性を有する１つの滑走面（１６）と、
前記コア（１４）と前記滑走面（１６）との間に配置され、気体あるいは液体の媒質によって充填され得る少なくとも１つの中空チャンバ（８、９）と
を備える、１つのスノーボード。
【請求項２】
前記中空チャンバが１つの弾性チューブ（２０、２１）によって形成される、請求項１に記載のスノーボード。
【請求項３】
前記中空チャンバ（８、９）が、前記滑走面（１６）の一領域および前記滑走面に相対する前記コア（１４）に接触する１つのラミネートの（１５）の一領域によって形成される、請求項１に記載のスノーボード。
【請求項４】
前記中空チャンバ（８、９）が、１つのバルブ（１１、１２）と流体連通状態にある、請求項１乃至３のいずれかに記載のスノーボード。
【請求項５】
前記バルブ（１１、１２）が、前記滑走面（１６）から離間して相対する前記スノーボード（１）の表面（２）上に存在する、請求項４に記載のスノーボード。
【請求項６】
１つの中空チャンバ（８）のみが存在し、該中空チャンバ（８）が前記スノーボード（１）の長手方向に延長する、請求項１乃至５のいずれかに記載のスノーボード。
【請求項７】
前記少なくとも１つの中空チャンバが、少なくとも２つの中空チャンバ（８、９）を備え、前記少なくとも２つの中空チャンバ（８、９）が、前記スノーボード（１）の１つの長手方向に相互に平行に延長する、請求項１乃至６のいずれかに記載のスノーボード。
【請求項８】
個別のバルブ（１１、１２）が、各中空チャンバ（８、９）に割り当てられる、請求項７に記載のスノーボード。
【請求項９】
前記少なくとも２つの中空チャンバ（８、９）が相互に接続され、前記少なくとも２つの中空チャンバ（８、９）が１つの流体を移送し、単一のバルブ（１１）によって双方が共に充填され得るように為される、請求項８に記載のスノーボード。
【請求項１０】
前記少なくとも１つの中空チャンバが、前記スノーボードの１つのノーズ領域（４）に配置される１つの中空ノーズチャンバを備える、請求項１乃至５のいずれかに記載のスノーボード。
【発明の詳細な説明】
【技術分野】
【０００１】
本発明は１つのスノーボードに関する。
【背景技術】
【０００２】
このような複数のスノーボードは周知であり、市販されている。通常の使用の際に雪と接触する裏面に１つの滑走面を備え、滑走面は原則的には平坦に設計される。何故なら、この面はスノーボードの湾曲部または偏向部に適用されるからである。
【発明の開示】
【発明が解決しようとする課題】
【０００３】
数多くの適用例に対して、スノーボードの滑走面の幾何学形状を変化させる事が望ましい。例えば、その結果、スノーボードは深雪中おいて異なったリフティングの挙動を示す。所謂「複数のレール・スライド」においてスノーボードの制御性が向上し、複数のスチール・エッジの引っ掛かりを防ぐ。更に、複数のジャンプの後にスノーボードがピステに着地する際にスチール・エッジが引っかかるのを防止する。あるいは、１つの凸面状の滑走面を備えるスノーボードは、ピステ上で容易に回転させる事が出来る。
【課題を解決するための手段】
【０００４】
従って、本発明の１つの目的は、１つの可変幾何学的形状滑走面を備える１つのスノーボードを作成することである。
【０００５】
この目的は、請求項１において与えられる特徴によって実現される。簡潔に述べれば、従って本発明は、１つのコアと１つの可撓性滑走面を有し、コアと滑走面の間に少なくとも１つの気体あるいは液体で充填されている中空チャンバを有する事を特長とする１つのスノーボードに関する。本発明の有利な複数の構成および複数の改良は、複数の従属請求項より理解される。
【０００６】
本発明の基本的な原則は、少なくとも１つの中空チャンバに気体または液体の媒質を充填する事によって滑走面の形状を変化させる事に有る。中空チャンバは、スノーボードの滑走面とコアとの間に配置される。
【０００７】
滑走面は可撓性を有するので、これによって滑走中にスノーボードが撓む事が可能となり、加圧された媒質を中空チャンバに充填する事によって滑走面が１つの凸形状に湾曲し、滑走面の幾何学的形状を変化させる。
【０００８】
１つ以上の中空チャンバの配置は様々に変化させる事が出来る。一実施形態において、スノーボードの略全長および略全幅に渡ってスノーボードの長手方向に延長する１つの中空チャンバが存在する。他の実施形態において、ノーズの領域のみに配置される１つの中空チャンバが提供される。更に、スノーボードの長手方向に延長し、相互に平行な２つ以上のより狭い中空チャンバを提供しても良い。これらの複数の中空チャンバは完全に独立していても良いし、相互に接続されても良い。複数の中空チャンバは、スノーボードの長手方向の中心軸に関して鏡面対称的に配置されても良いし、非対称的に配置されても良い。
【０００９】
スノーボードのコアを指し示す滑走面の表面、およびこの被服と相対する合成ラミネートの表面によって中空チャンバを直接形成して良い。さらに、ゴムあるいは弾性の合成フィルムで製作される複数のチューブによって形成されても良く、これらはラミネートと滑走面の間に、あるいは木製のコアとラミネートの間に挿入されて良い。更に、複数のチューブを保持するために、木製のコアの中に凹部が提供されて良い。
【００１０】
複数の中空チャンバまたは複数のチューブは複数のチャネルによって複数のバルブに接続され、これらはスノーボードの表面上に、好ましくは１つのバインディングの領域に配置される。
【００１１】
本発明は、上に言及された複数の目的だけでなく、複数の中空チャンバの形によってスノーボードの挙動を変化させる目的をも実現する。従って例えば、意図的に凹面状に製作され、エッジが内部へ大きく抉れているスノーボードは、１つの幅広の中空チャンバに対してガスを充填する事によって１つの略平面または凸面状ですらあるスノーボードに変形し、これによってより良好な回転能力が生じる。
【００１２】
加圧された媒質を充填することによってスノーボードの断面積も増加する。その結果、捩れ剛性が増加する。従って、スノーボーダーによって調節可能な可変可撓性を得る。１つ以上の中空チャンバ中に充填された媒質の圧力によって減衰効果がさらに達成され得、例えば、１回のジャンプ後の着地時に生じる衝撃を減衰させる。
【００１３】
大きい状態の変化は、中空チャンバの数や配置、および個々のチャンバ用の個別のバルブによって与えられる。
【発明を実施するための最良の形態】
【００１４】
以下、本発明は図面と関連して複数の実施形態に関して詳細に説明される。
【００１５】
本願は、２００３年１０月２２日に出願された独国実用新案第２０３１６３３５．４号の優先権を主張し、該開示の全体を明示的に本願明細書に援用する。
【００１６】
最初に、図１および２が議論される。本願の全体にわたって、スノーボードは参照符号１によって示される。スノーボード１は１つの表面２および１つの底面３を備え、底面３は、通常使用時にピステまたは雪と接触する。通常、スノーボード１の前方端は、１つの多少湾曲していて丸められたノーズ４を備える。スノーボード１のテール５は湾曲され丸められていても良いし（図３〜図５）、あるいは直線（図１）であっても良い。図１および２の実施形態において、２つの中空チャンバ８および９が提供され、これらは、ノーズ４からテール５に略渡ってスノーボードの長手方向の中心軸に対して相互に平行に延長する。複数の中空チャンバの幅は任意に選択する事が出来る。図示された実施形態において、各中空チャンバは、スノーボードの幅のおよそ４分の１の１つの幅を有する。
【００１７】
図２は、スノーボードの構造を示す。表面２の側から、１つのカバー層１３が１つの木製のコア１４の上部に配置される。１つのラミネート層１５および１つの滑走面１６がこれに続く。典型的な複数のスチール・エッジ１７が、滑走面の複数の端部に取り付けられる。気密あるいは液密によって相互に接続される（例えば接着）ラミネート層１５と滑走面１６との間に、複数の中空チャンバ８および９が存在し、それらは十分な状態で図示されており、これらは凸面形状で外側に湾曲している。複数の中空チャンバ８および９は、複数のチャネル１８および１９を経由して複数のバルブ１１および１２に接続される。複数のバルブ１１および１２はカバー層１３を貫通して表面２まで延長する。複数のバルブを通って、空気または液体のような１つの媒質が複数の中空チャンバ８および９へ導入され得る。空気が使用される場合、例えば複数の自転車タイヤ用の物品として周知である１つの市販の空気ポンプおよび市販の複数のバルブが用いられて良い。しかしながら、周知の種類の複数の可逆バルブが使用されても良い。これによって、媒質は複数の中空チャンバ８および９から漏出する事が防止されるだけではなく、これらの複数のチャンバ内の真空状態を保つ事が出来、これによって滑走面１６は完全な平坦となり、これは、特定のスノーボードの複数の特性を設定するために、および例えば研磨やワックスがけ等の滑走面の手入れのために所望される形状である。
【００１８】
図３〜図６の第２実施形態は、複数の中空チャンバ８および９が複数の弾性チューブ２０および２１によって形成される点で図１および２と本質的に異なる。複数の弾性チューブ２０および２１は、木製のコア１４とラミネート層１５との間に配置され、複数のチューブ２０および２１を保持するために、木製のコアの中に複数の凹部２２および２３が提供される。図３に示されるように、複数のチューブ８および９は相互に連通しており、この場合、１つのバルブのみ（１１または１２）が必要である。無論、相互に接続された２つのチューブの代わりに、単一の連続的なチューブを使用しても良い。図３および５の実施形態において、複数のバルブ１１および１２はスノーボードの中心に配置される。さらに、所謂複数のインサート（窪んだ複数のスクリュー・ナット）６および７のような複数の取り付け装置の領域にこれらを配置しても良い。
【００１９】
本発明の複数の要素を１つまたは複数の好適な実施形態に導入するに際し、「１つの」、「前記」という複数の語は、１つ以上の要素が存在する事を意味する事が意図される。
「備える」、「有する」、「含む」という複数の語は、包括的であって、列挙された複数の要素以外に追加の複数の要素が存在し得る事を意味する事が意図される。
【００２０】
上記の複数の方法および複数の製品に対して、本発明の範囲内を逸脱する事無く様々な複数の修正が為され得る。上記の記載および添付の複数の図面に含まれる全ての事項は、制限的では無くて例示的であると解釈される事を意図している。
【図面の簡単な説明】
【００２１】
【図１】本発明におけるスノーボードの底面を示す１つの図である。
【図２】図１の線Ａ−Ａについての１つの断面図である。
【図３】本発明の他の実施形態おけるスノーボードの底面側を示す１つの平面図である。
【図４】図３におけるスノーボードの１つの側面図である。
【図５】図３におけるスノーボードの表面を示す１つの図である。
【図６】図６の線Ｂ−Ｂについての１つの断面図である。
【図１】
2005161030.tif 000003
【図２】
2005161030.tif 000004
【図３】
2005161030.tif 000005
【図４】
2005161030.tif 000006
【図５】
2005161030.tif 000007
【図６】
2005161030.tif 000008
【外国語明細書】
2005161030.tif 000009
2005161030.tif 000010
2005161030.tif 000011
2005161030.tif 000012
2005161030.tif 000013
2005161030.tif 000014
2005161030.tif 000015
2005161030.tif 000016
2005161030.tif 000017
2005161030.tif 000018
2005161030.tif 000019
2005161030.tif 000020
2005161030.tif 000021